(57)【要約】【課題】仕切られた両側空間４ａ，４ｂの間で水や湿気の移動を生じさせない。【解決手段】建物２に設けられ、非透水性仕切板７を用いた間仕切り構造であり、建物躯体側固定部３に防水層５を介して溝型の嵌着具６が取り付けられ、非透水性仕切板７の端部７ａが、嵌着具６の凹部６ａにシール層８を介して嵌入装着されている。部屋４を形成する耐水板９が、建物躯体側固定部３に防水層５を介して取り付けられ、耐水板９の厚みＴの範囲内に、嵌着具６がその一部又は全部を没入してある。【効果】嵌着具６と建物躯体側固定部３の間は防水層５で遮断され、また、仕切られた両側空間４ａ，４ｂの間は非透水性仕切板７，シール層８及び防水層５で遮断される。【選択図】図２
2005240346.tif 000002
【特許請求の範囲】
【請求項１】
建物に設けられ、非透水性仕切板を用いた間仕切り構造において、建物躯体側固定部に防水層を介して溝型の嵌着具が取り付けられ、前記非透水性仕切板の端部が、該嵌着具の凹部にシール層を介して水密に嵌入装着されていることを特徴とする建物の間仕切り構造。
【請求項２】
部屋を形成する耐水板が、前記建物躯体側固定部に防水層を介して取り付けられ、該耐水板の厚みの範囲内に、前記嵌着具がその一部又は全部を没入させた請求項１記載の建物の間仕切り構造。
【請求項３】
前記嵌着具の片側又は両側の脇に前記耐水板が設けられている請求項２記載の建物の間仕切り構造。
【請求項４】
前記建物躯体側固定部と前記嵌着具の間に設けた前記防水層と、前記建物躯体側固定部と前記耐水板の間に設けた前記防水層とを連続させた請求項２又は３記載の建物の間仕切り構造。
【請求項５】
建物に設けられ、非透水性仕切板を用いた間仕切り構造において、部屋を形成する耐水板に防水層を介して溝型の嵌着具が取り付けられ、前記非透水性仕切板の端部が、該嵌着具の凹部にシール層を介して水密に嵌入装着されていることを特徴とする建物の間仕切り構造。
【請求項６】
前記嵌着具を取付ける止付具が前記防水層を貫通し、該止付具に対して前記防水層がその自己接着力で水密に密着している請求項１乃至５のいずれか１項に記載の建物の間仕切り構造。
【発明の詳細な説明】
【技術分野】
【０００１】
本発明は、仕切られた両側空間の間で水や湿気の移動を生じさせない建物の間仕切り構造に関するものである。
【背景技術】
【０００２】
従来、建物の間仕切りを設ける技術としては、特許文献１に記載されたものがある。この技術は、床面にパネル支持部材を取り付ける共に、天井に頂部カバーを取り付けている。これら床面と床面に取り付けられる上下の部材は、断面Ｕ字状の凹部を有し、該凹部に間仕切りとしての断熱パネルが嵌入装着されている。
【特許文献１】特開２００１−３４８９７８号公報
【発明の開示】
【発明が解決しようとする課題】
【０００３】
しかし、前記従来の技術は、断熱性を考慮した間仕切りであるため、水を使用したり高湿度となる部屋等に適用した場合、床面及び床面と断熱パネルの間に生じた隙間を介して、仕切られた両側空間の間で水や湿気が移動する不都合が生じる。
そこで、本発明は、上記問題を解決するために、仕切られた両側空間の間で水や湿気の移動を生じさせない建物の間仕切り構造を提起するものである。
【課題を解決するための手段】
【０００４】
仕切られた両側空間の間で水や湿気の移動を生じさせないために請求項１記載の本発明が採用した手段は、  建物に設けられ、非透水性仕切板を用いた間仕切り構造において、建物躯体側固定部に防水層を介して溝型の嵌着具が取り付けられ、前記非透水性仕切板の端部が、該嵌着具の凹部にシール層を介して水密に嵌入装着されていることを特徴とする建物の間仕切り構造である。
本発明にあっては、嵌着具と建物躯体側固定部の間は防水層で遮断され、また、仕切られた両側空間の間は非透水性仕切板，シール層，嵌着具及び防水層で遮断される。
【０００５】
部屋内で嵌着具を強調させずに見栄えよくすると共に漏水対策を確実にするために請求項２記載の本発明が採用した手段は、部屋を形成する耐水板が、前記建物躯体側固定部に防水層を介して取り付けられ、該耐水板の厚みの範囲内に、前記嵌着具がその一部又は全部を没入させた請求項１記載の建物の間仕切り構造である。前記耐水板には、タイル等の仕上板が固定されたものもある。
本発明にあっては、耐水板の表面から嵌着具が突出する寸法を無くすか又は少なくできる。また、嵌着具及び両側の耐水板を共通の躯体側固定部に取付けることにより、嵌着具と耐水板の間の間隙寸法を一定に保つことができる。
【０００６】
両側の耐水板の間に嵌着具を強調させずに見栄えよく設けると共に漏水対策を確実にするために請求項３記載の本発明が採用した手段は、前記嵌着具の片側又は両側の脇に前記耐水板が設けられている請求項２記載の建物の間仕切り構造である。
本発明にあっては、片側又は両側の耐水板の表面から嵌着具が突出する寸法を無くすか又は少なくできる。また、嵌着具及び耐水板を共通の躯体側固定部に取付けることにより、嵌着具と耐水板の間の間隙寸法を一定に保つことができる。
【０００７】
漏水対策を更に確実にするために請求項４記載の本発明が採用した手段は、前記建物躯体側固定部と前記嵌着具の間に設けた前記防水層と、前記建物躯体側固定部と前記耐水板の間に設けた前記防水層とを連続させた請求項２又は３記載の建物の間仕切り構造である。
本発明にあっては、前記嵌着具と耐水板の隙間部分も防水層で遮断される。
【０００８】
部屋と躯体側との間、及び、仕切られた両側空間の間の各々で、水や湿気の移動を生じさせないために請求項５記載の本発明が採用した手段は、建物に設けられ、非透水性仕切板を用いた間仕切り構造において、部屋を形成する耐水板に防水層を介して溝型の嵌着具が取り付けられ、前記非透水性仕切板の端部が、該嵌着具の凹部にシール層を介して水密に嵌入装着されていることを特徴とする建物の間仕切り構造である。
本発明にあっては、部屋と躯体側との間は耐水板で遮断される、また、仕切られた両側空間の間は非透水性仕切板，シール層，嵌着具及び防水層で遮断される。
【０００９】
漏水対策を確実なものとするために請求項６記載の本発明が採用した手段は、前記嵌着具を取付ける止付具が前記防水層を貫通し、該止付具に対して前記防水層がその自己接着力で水密に密着している請求項１乃至５のいずれか１項に記載の建物の間仕切り構造である。
本発明にあっては、止付具と防水層は水密に密着している。
【発明の効果】
【００１０】
請求項１記載の建物の間仕切り構造は、仕切られた両側空間の間における水や湿気の移動が確実に遮断される。
請求項２及び３記載の建物の間仕切り構造は、耐水板の表面から嵌着具が突出する寸法を無くすか又は少なくすることで、嵌着具を強調させずに見栄えよくできると共に、嵌着具と耐水板の間の間隙寸法を一定に保つことで、この間隙に充填したシール材に切れを発生させることなく、漏水を防止できる。
【００１１】
請求項４記載の建物の間仕切り構造は、嵌着具と耐水板の隙間部分における水や湿気の移動が確実に遮断される。
請求項５記載の建物の間仕切り構造は、部屋と躯体側との間、及び、仕切られた両側空間の間における水や湿気の移動が確実に遮断される。
【００１２】
請求項６記載の建物の間仕切り構造は、止付具と防水層の境界部における水や湿気の移動が遮断される。
【発明を実施するための最良の形態】
【００１３】
本発明に係る建物の間仕切り構造（以下、「本発明間仕切り構造」と言う。）を図面に示す実施形態に基づいて説明する。
【００１４】
（第１の実施の形態）
図１乃至図３は本発明間仕切り構造の第１の実施の形態を示すものであり、図１は本発明間仕切り構造を備えた部屋を一部破断して示した正面図、図２（Ａ）は図１のＩＩ−ＩＩ線で断面して拡大したものであって、タイル等の建築意匠材を固定する前の状態を示す中間省略した平面断面図、図２（Ｂ）は要部を更に拡大した平面断面図、図３は図１のＩＩＩ−ＩＩＩ線で断面して拡大したものであって、天井側及び床側を示す中間省略した右側断面図である。
【００１５】
本発明間仕切り構造１は、図１に示す如く、建物２に設けられ、部屋４の室内と建物躯体側固定部３（３Ａ，３Ｂ，３Ｃ）との間、及び、本発明間仕切り構造１で仕切られた部屋４の両側空間４ａ，４ｂの間の各々で、水や湿気の移動を生じさせないようにしてある。本例において、部屋４は、一方の空間４ａが浴室であり、他方の空間４ｂが脱衣室となっている。本発明間仕切り構造１は、建物躯体側固定部３（３Ａ，３Ｂ，３Ｃ）に防水層５を介して溝型の嵌着具６が取り付けられ、非透水性仕切板７の端部７ａが、嵌着具６の凹部６ａにシール層８を介して水密に嵌入装着されて、嵌着具６と建物躯体側固定部３（３Ａ，３Ｂ，３Ｃ）の間を防水層５で水や湿気の移動を遮断し、また、仕切られた両側空間４ａ，４ｂの間を非透水性仕切板７，シール層８，嵌着具６及び防水層５で水や湿気の移動を遮断している。本例の部屋４は、両側空間４ａ，４ｂが、本発明間仕切り構造１と開閉自在な扉２５とで間仕切りされている。なお、両側空間４ａ，４ｂは、扉２５を用いることなく、非透水性仕切板７のみで仕切ることもある。
【００１６】
前記建物躯体側固定部３は、図２に示す壁側は、柱３Ａ、間柱又は柱や間柱に取り付けた胴縁（図示略）等からなり、図３に示す天井側は、野縁３Ｃ等からなり、床側は、受け材３Ｂ、土台３Ｅ、根太又は基礎に据え付けた架台（図示略）等からなる。前記防水層５は、ブチルゴム，ゴムアスファルトコンパウンド，粘着性と防水性のあるウレタン系等の合成樹脂等からなり、テープに形成されたものを建物躯体側固定部３に貼着するか、または、建物躯体側固定部３に塗着して形成される。防水層５は、貫通したビスまたは釘等の後述する止付具１０，１６の表面に水密に密着する自己接着性のあるものが選択される。前記シール層８は、嵌着具６の凹部６ａと嵌入装着された非透水性仕切板７の端部７ａの隙間に充填されたシリコン系シール材等からなる。
【００１７】
前記嵌着具６は、ステンレススチール又は合成樹脂素材等の防錆素材から成形され、底片６ｂと、底片６ｂの両側から起立た起立片６ｃ，６ｃを備え、起立片６ｃ，６ｃの間に嵌入凹部６ａを形成したものである。前記非透水性仕切板７は、透明若しくは半透明なガラス板、すりガラス板、透明若しくは半透明な合成樹脂板、金属板又は基板にタイルや金属板等の非透水性の仕上板を接合したもの等が選択される。
【００１８】
本発明間仕切り構造１における壁側は、図２に示す如く、建物躯体側固定部３である柱３Ａに防水層５を介して上下に長い嵌着具６を止付具１０で取り付け、嵌着具６の凹部６ａにシール層８を介して非透水性仕切板７の側端部７ａを嵌入装着して構成してある。嵌着具６を取り付けた柱３Ａには、嵌着具６を挟むようにして嵌着具６の両脇に、部屋４の壁面を形成する面材である両側の耐水板９，９が防水層５を介して止付具１６で取り付けられている。耐水板９，９の裏面側（躯体側）には、必要に応じて防水シート１７が配置され、嵌着具６と防水層５の間、及び、耐水板９と防水層５の間に挟まれている。防水シート１７には、前記防水層５と同じ材質からなるシート、ポリエチレンなどのプラスチック系フィルムからなるシートまたは紙の基材にコールタール等の防水剤を含浸させたシート等が用いられる。この防水シート１７は、室内４ａ，４ｂと室外との間での湿気の移動を遮断する。
【００１９】
前記嵌着具６は、耐水板９の厚みＴの範囲内に、その一部又は全部を没入させて、耐水板９の表面から突出する寸法を無くすか又は少なくして強調させずに部屋４の見栄えをよくしてある。この厚みＴは、耐水板９に仕上板１３が固定されているとき、仕上板１３の厚みも含まれる。このように、嵌着具６及び両側の耐水板９，９を共通の躯体側固定部３に取付けることにより、嵌着具６と耐水板９の間に形成される隙間１１，１１の寸法を一定に保つことができ、各隙間１１に充填したシール層８に漏水原因となる切れを生じさせることもない。防水層５は、建物躯体側固定部３と嵌着具６の間に設けた部分と建物躯体側固定部と耐水板９，９の間に設けた部分を連続的に接合し、隙間１１，１１を防水してある。
【００２０】
前記耐水板９は、セメント系ボードであって、セメント質心板の平面的に広がる両表面側に補強ガラス繊維のメッシュシートを埋め込んで、両表面側を補強したものであり、押圧される等して板内に曲げ応力が発生して弾性変形したときに、透水の原因となる大きな亀裂が生じることはなく、透水の原因とならない微細なクラック（マイクロクラック）が発生するものが選択される。耐水板９は、複数枚の非透水性で無機質の磁器質タイル、せっき質タイル、陶器質タイル又は非透水性の石板等からなる仕上板１３が接着剤１４等で固定されている。耐水板９は、仕上板１３を固定することなく、防水性塗料等で塗装仕上げすることもある。
【００２１】
前記嵌着具６の凹部６ａには、非透水性仕切板７の端部７ａとの隙間に、非透水性仕切板７のがたつきを阻止するための緩衝材１２，１２が充填され、各緩衝材１２の上又は下に前記シール層８が形成されている。嵌着具６と耐水板９の間に形成される隙間１１には、前記シール層８と同質のシール材１５等が充填される。なお、本発明間仕切り構造１は、左右両側に設けられ、室内４ａ，４ｂを非透水性仕切板７のみで仕切ることも可能である。
【００２２】
本発明間仕切り構造１における床側は、図３に示す如く、建物躯体側固定部３である受け材３Ｂに防水層５を介して左右に長い嵌着具６を止付具１０で取り付け、嵌着具６の凹部６ａにシール層８，８を介して非透水性仕切板７の下端部７ａを水密に嵌入装着して構成してある。嵌着具６の凹部６ａと非透水性仕切板７の下端部７ａの隙間には、非透水性仕切板７の荷重を受ける座部となるバックアップ材１８を挟み込み、前記同様に緩衝材１２，１２が充填され、各緩衝材１２の上又は下にシール層８を設けてある。
【００２３】
前記部屋４の空間４ａ（浴室側）の床面は、本例では、防水パン１９で形成されている。該防水パン１９と前記嵌着具６の間は、防水受け具２０を設けて防水してある。防水受け具２０は、下端側が開口した溝型部材であり、上片２０ａの両側から起立片２０ｂ，２０ｂを垂下したものであり、一方の起立片２０ｂを前記嵌着具６の凹部６ａに差し込み、他方の起立片２０ｂを防水パン１９の内側に位置させ、非透水性仕切板７の空間４ａ（浴室側）に面する表面から滴下した水滴を、上片２０ａで受け止めて防水パン１９側へ確実に導くようになっている。
【００２４】
前記部屋４の他方の空間４ｂ（脱衣室側）の床部２１は、本例では、木質下地合板２２と、木質下地合板２２に接着又はビス止めする等して移動不能に載設した仕上材２３からなる。仕上材２３は、耐水性のある無機質のセメントボード等からなる仕上板接着用下地板２３ａと、該下地板２３ａに接着した複数枚の非透水性で無機質の磁器質タイル、せっき質タイル又は非透水性の石板等からなる仕上板２３ｂとからなる耐水仕様となっている。なお、仕上板接着用下地板２３ａにセメントボードを用いるときには、前記耐水板９に用いるものと同質のセメント系ボードを選択できる。
【００２５】
前記防水パン１９は、洗い場領域に床仕上材２７が施されている。この床仕上材２７は、防水パン１９の上面に接着する等して移動不能に載設した耐水性のある無機質のセメントボード等からなる仕上板接着用下地板２７ａと、該下地板２７ａに接着した複数枚の非透水性で無機質の磁器質タイル、せっき質タイル又は非透水性の石板等からなる仕上板２７ｂとからなる。なお、仕上板接着用下地板２７ａにセメントボードを用いるときには、前記耐水板９に用いるものと同質のセメント系ボードを選択できる。
【００２６】
本発明間仕切り構造１における天井側は、図３に示す如く、建物躯体側固定部３である野縁３Ｃに防水層５を介して左右に長い嵌着具６を止付具１０で取り付け、嵌着具６の凹部６ａにシール層８を介して非透水性仕切板７の上端部７ａを水密に嵌入装着して構成してある。嵌着具６を取り付ける野縁３Ｃには、嵌着具６を挟むようにして天井板２４，２４が止付具１０で取り付けられている。非透水性仕切板７は、部屋４と室外（屋外もある）を仕切ものである。
【００２７】
（第２の実施の形態）
図４は、本発明間仕切り構造の第２の実施の形態を示すものであり、要部を拡大断面した平面図である。本実施の形態に係る本発明間仕切り構造３１は、部屋４の内隅部を形成するものであって、部屋４の一方の壁面を非透水性仕切板７で形成すると共に、他方の壁面を耐水板９で形成してある。本発明間仕切り構造３１は、建物躯体側固定部３である柱３Ｄに防水層５を介して嵌着具６が取り付けられ、嵌着具６の凹部６ａにシール層８，８を介して非透水性仕切板７の端部７ａが嵌入装着され、柱３Ｄに共通の防水層５を介して耐水板９が取り付けられ、嵌着具６と耐水板９の間の隙間１１にシール材１５を充填してある。防水層５，嵌着具６，非透水性仕切板７，シール層８，耐水板９及びシール材１５等の内容は、前記第１の実施の形態と実質的に同一であるため、ここでの詳細な説明は省略する。
【００２８】
（第３の実施の形態）
図５は、本発明間仕切り構造の第３の実施の形態を示すものであり、（Ａ）は要部を拡大断面した平面図、（Ｂ）は別態様の嵌着具を示す横断面図である。本実施の形態に係る本発明間仕切り構造４１は、建物躯体側固定部３である柱３Ａに防水層５を介し又は介することなく耐水板９が止付具１６で取り付けられ、止付具１６の上に防水層５を介し嵌着具６が止付具１０で取り付けられ、嵌着具６の凹部６ａにシール層８，８を介して非透水性仕切板７の端部７ａが水密に嵌入装着されて、嵌着具６と耐水板９の間を防水層５で水や湿気の移動を遮断し、また、仕切られた両側空間４ａ，４ｂの間を非透水性仕切板７，シール層８，嵌着具６及び防水層５で水や湿気の移動を遮断してある。嵌着具６と耐水板９の間の隙間１１にシール材１５を充填してある。防水層５，嵌着具６，非透水性仕切板７，シール層８及び耐水板９等の内容は、前記第１の実施の形態と実質的に同一であるため、ここでの詳細な説明は省略する。
【００２９】
前記嵌着具６は、同図（Ｂ）に示す底面積の大きな嵌着具４６に置換し、防水層５との当接面積を大きくして、取り付けの安定性と防水性の向上を図ることができる。嵌着具４６は、底片４６ｂと、底片４６ｂの両側から起立た起立片４６ｃ，４６ｃと、底片４６ｂの両側から突設したフランジ片４６ｄ，４６ｄとを備え、起立片４６ｃ，４６ｃの間に嵌入凹部４６ａを形成してある。
【００３０】
（第４の実施の形態）
図６は、本発明間仕切り構造の第４の実施の形態を示すものであり、要部を拡大断面した平面図である。本実施の形態に係る本発明間仕切り構造５１は、部屋４の内隅部を形成するものであって、部屋４の一方の壁面を非透水性仕切板７で形成すると共に、他方の壁面を耐水板９で形成してある。本発明間仕切り構造５１は、建物躯体側固定部３である柱３Ｄに防水層５を介し又は介することなく耐水板９が止付具１６で取り付けられ、耐水板９の上に防水層５を介し嵌着具６が止付具１０で取り付けられ、嵌着具６の凹部６ａにシール層８，８を介して非透水性仕切板７の端部７ａが水密に嵌入装着されて、嵌着具６と耐水板９の間を防水層５で水や湿気の移動を遮断してある。嵌着具６と仕上板１３の間の隙間１１にシール材１５を充填してある。防水層５，嵌着具６，非透水性仕切板７，シール層８，耐水板９及びシール材１５等の内容は、前記第１の実施の形態と実質的に同一であるため、ここでの詳細な説明は省略する。
【００３１】
（その他の実施の形態）
本発明間仕切り構造が適用される部屋としては、水を使用する部屋である浴室，シャワー室，厨房等に限定されるものではなく、湿気を嫌う貯蔵室等に適用して室外（屋外も含む）から室内への水や湿気の移動を遮断するようにすることもある。
【図面の簡単な説明】
【００３２】
【図１】本発明間仕切り構造の第１の実施の形態を示すものであり、本発明間仕切り構造を備えた部屋を一部破断して示した正面図である。
【図２】（Ａ）は図１のＩＩ−ＩＩ線で断面して拡大したものであって、タイル等の建築意匠材を固定する前の状態を示す中間省略した平面断面図、（Ｂ）は要部を更に拡大した平面断面図である。
【図３】図１のＩＩＩ−ＩＩＩ線で断面して拡大したものであって、天井側及び床側を示す中間省略した右側断面図である。
【図４】本発明間仕切り構造の第２の実施の形態を示すものであり、要部を拡大断面した平面図である。
【図５】本発明間仕切り構造の第３の実施の形態を示すものであり、（Ａ）は要部を拡大断面した平面図、（Ｂ）は別態様の嵌着具を示す横断面図である。
【図６】本発明間仕切り構造の第４の実施の形態を示すものであり、要部を拡大断面した平面図である。
【符号の説明】
【００３３】
２…建物、３（３Ａ，３Ｂ，３Ｃ，３Ｄ）…建物躯体側固定部、４…部屋、５…防水層、６…嵌着具、６ａ…凹部、７…非透水性仕切板、７ａ…端部、８…シール層、９…耐水板、１０，１６…止付具、
【図１】
2005240346.tif 000003
【図２】
2005240346.tif 000004
【図３】
2005240346.tif 000005
【図４】
2005240346.tif 000006
【図５】
2005240346.tif 000007
【図６】
2005240346.tif 000008